【手続補正書】
【提出日】平成27年12月22日(2015.12.22)
【手続補正１】
【補正対象書類名】特許請求の範囲
【補正対象項目名】全文
【補正方法】変更
【補正の内容】
【特許請求の範囲】
【請求項１】
ストリームトランスポートとＭＡＣレイヤとをアラインさせるために、１つまたは複数のコンピュータシステムを用いて実行される方法であって、
フラグに基づいてＢｌｏｃｋ−ＡＣＫシーケンスを開始することと、ここで、前記Ｂｌｏｃｋ−ＡＣＫは受信機によって提供される単一グループ確認応答である、
ビデオクロック周波数とビデオフレームレートとの間の関係を決定することと、前記ビデオクロック周波数は、ＲＴＰストリームと関連し、
第１のＲＴＰタイムスタンプと第２のＲＴＰタイムスタンプの間の差異を決定することと、少なくとも前記第１のＲＴＰタイムスタンプは、前記ＲＴＰストリーム内のパケットから導出され、
前記差異がゼロより大きく、かつ前記差異が前記関係の整数倍である場合、Ｂｌｏｃｋ−ＡＣＫシーケンスを停止すること、
を備える、方法。
【請求項２】
前記関係は、前記フレームレートで除算された前記ビデオクロック周波数を備える、請求項１に記載の方法。
【請求項３】
前記処理モジュールは、カウンターをインクリメントするようにさらに構成される、請求項１に記載の方法。
【請求項４】
前記第２のＲＴＰタイムスタンプは、基準ＲＴＰタイムスタンプである、請求項１に記載の方法。
【請求項５】
前記処理モジュールは、前記Ｂｌｏｃｋ−ＡＣＫシーケンスが停止した場合、前記フラグをリセットするようにさらに構成される、請求項１に記載の方法。
【請求項６】
請求項１−５のうちのいずれか１つにしたがった方法を実行するための命令を備える、コンピュータプログラム。
【請求項７】
ストリームトランスポートおよびＭＡＣレイヤーデータアライメントシステムであって、
フラグに基づいてＢｌｏｃｋ−ＡＣＫシーケンスを開始する手段と、ここで、前記Ｂｌｏｃｋ−ＡＣＫは受信機によって提供される単一グループ確認応答である、
ビデオクロック周波数とビデオフレームレートとの間の関係を決定する手段と、前記ビデオクロック周波数は、ＲＴＰストリームと関連し、
第１のＲＴＰタイムスタンプと第２のＲＴＰタイムスタンプとの間の差異を決定する手段と、少なくとも前記第１のＲＴＰタイムスタンプは、前記ＲＴＰストリーム内のパケットから導出され、
前記差異がゼロより大きく、かつ前記差異が前記関係の整数倍である場合、Ｂｌｏｃｋ−ＡＣＫシーケンスを停止する手段と、
を備えるシステム。
【請求項８】
前記関係は、前記フレームレートで除算された前記ビデオクロック周波数を備える、請求項７に記載のシステム。
【請求項９】
前記処理モジュールは、カウンターをインクリメントするようにさらに構成される、請求項７に記載のシステム。
【請求項１０】
前記第２のＲＴＰタイムスタンプは、基準ＲＴＰタイムスタンプである、請求項７に記載のシステム。
【請求項１１】
前記処理モジュールは、前記Ｂｌｏｃｋ−ＡＣＫシーケンスが停止した場合、前記フラグをリセットするようにさらに構成される、請求項７に記載のシステム。
【手続補正２】
【補正対象書類名】明細書
【補正対象項目名】００２９
【補正方法】変更
【補正の内容】
【００２９】
[0038]発明は、いくつかの実施例の観点から論じられるが、発明は、それに限定されないことが理解されるべきである。実施例は、ここで例として説明され、および用いられ得および、さらに本発明の範囲内にあるはずの多数の変更、バリエーションおよびその他の実施例が存在し得る。
以下に、本願出願の当初の特許請求の範囲に記載された発明を付記する。
[Ｃ１]  ストリームトランスポートおよびＭＡＣレイヤーデータアライメントシステムであって、
フラグに基づいてＢｌｏｃｋ−ＡＣＫシーケンスを開始し、
ビデオクロック周波数とビデオフレームレートとの間の関係を決定することと、前記ビデオクロック周波数は、リアルタイムプロトコル（ＲＴＰ）ストリームと関連し、
第１のＲＴＰタイムスタンプと第２のＲＴＰタイムスタンプの間の差異を決定し、少なくとも前記第１のＲＴＰタイムスタンプは、前記ＲＴＰストリーム内のパケットから導出され、
前記差異がゼロより大きく、かつ前記差異が前記関係の整数倍である場合、Ｂｌｏｃｋ−ＡＣＫシーケンスを停止する、
ように構成される処理モジュール、
を備えるシステム。
[Ｃ２]  前記関係は、前記フレームレートで除算された前記ビデオクロック周波数を備える、Ｃ１に記載のシステム。
[Ｃ３]  前記処理モジュールは、カウンターをインクリメントするようにさらに構成される、Ｃ１に記載のシステム。
[Ｃ４]  前記第２のＲＴＰタイムスタンプは、基準ＲＴＰタイムスタンプである、Ｃ１に記載のシステム。
[Ｃ５]  前記処理モジュールは、前記Ｂｌｏｃｋ−ＡＣＫシーケンスが停止した場合、前記フラグをリセットするようにさらに構成される、Ｃ１に記載のシステム。
[Ｃ６]  ストリームトランスポートとＭＡＣレイヤとをアラインさせるために、１つまたは複数のコンピュータシステムを用いて実行される方法であって、
フラグに基づいてＢｌｏｃｋ−ＡＣＫシーケンスを開始することと、
ビデオクロック周波数とビデオフレームレートとの間の関係を決定することと、前記ビデオクロック周波数は、ＲＴＰストリームと関連し、
第１のＲＴＰタイムスタンプと第２のＲＴＰタイムスタンプの間の差異を決定することと、少なくとも前記第１のＲＴＰタイムスタンプは、前記ＲＴＰストリーム内のパケットから導出され、
前記差異がゼロより大きく、かつ前記差異が前記関係の整数倍である場合、Ｂｌｏｃｋ−ＡＣＫシーケンスを停止すること、
を備える、前記方法。
[Ｃ７]  前記関係は、前記フレームレートで除算された前記ビデオクロック周波数を備える、Ｃ６に記載のシステム。
[Ｃ８]  前記処理モジュールは、カウンターをインクリメントするようにさらに構成される、Ｃ６に記載のシステム。
[Ｃ９]  前記第２のＲＴＰタイムスタンプは、基準ＲＴＰタイムスタンプである、Ｃ６に記載のシステム。
[Ｃ１０]  前記処理モジュールは、前記Ｂｌｏｃｋ−ＡＣＫシーケンスが停止した場合、前記フラグをリセットするようにさらに構成される、Ｃ６に記載のシステム。
[Ｃ１１]  実行されると、プロセッサに、
フラグに基づいてＢｌｏｃｋ−ＡＣＫシーケンスを開始することと、
ビデオクロック周波数とビデオフレームレートとの間の関係を決定することと、前記ビデオクロック周波数は、ＲＴＰストリームと関連し、
第１のＲＴＰタイムスタンプと第２のＲＴＰタイムスタンプとの間の差異を決定することと、少なくとも前記第１のＲＴＰタイムスタンプは、前記ＲＴＰストリーム内のパケットから導出され、
前記差異がゼロより大きく、かつ前記差異が前記関係の整数倍である場合、Ｂｌｏｃｋ−ＡＣＫシーケンスを停止すること、
からなる方法を実行させる命令を備える非一時的コンピュータ可読媒体。
[Ｃ１２]  前記関係は、前記フレームレートで除算された前記ビデオクロック周波数を備える、Ｃ１１に記載のシステム。
[Ｃ１３]  前記処理モジュールは、カウンターをインクリメントするようにさらに構成される、Ｃ１１に記載のシステム。
[Ｃ１４]  前記第２のＲＴＰタイムスタンプは、基準ＲＴＰタイムスタンプである、Ｃ１１に記載のシステム。
[Ｃ１５]  前記処理モジュールは、前記Ｂｌｏｃｋ−ＡＣＫシーケンスが停止した場合、前記フラグをリセットするようにさらに構成される、Ｃ１１に記載のシステム。
[Ｃ１６]  ストリームトランスポートおよびＭＡＣレイヤーデータアライメントシステムであって、
フラグに基づいてＢｌｏｃｋ−ＡＣＫシーケンスを開始する手段と、
ビデオクロック周波数とビデオフレームレートとの間の関係を決定する手段と、前記ビデオクロック周波数は、リアルタイムプロトコル（ＲＴＰ）ストリームと関連し、
第１のＲＴＰタイムスタンプと第２のＲＴＰタイムスタンプとの間の差異を決定する手段と、少なくとも前記第１のＲＴＰタイムスタンプは、前記ＲＴＰストリーム内のパケットから導出され、
前記差異がゼロより大きく、かつ前記差異が前記関係の整数倍である場合、Ｂｌｏｃｋ−ＡＣＫシーケンスを停止する手段と、
を備えるシステム。
[Ｃ１７]  前記関係は、前記フレームレートで除算された前記ビデオクロック周波数を備える、Ｃ１６に記載のシステム。
[Ｃ１８]  前記処理モジュールは、カウンターをインクリメントするようにさらに構成される、Ｃ１６に記載のシステム。
[Ｃ１９]  前記第２のＲＴＰタイムスタンプは、基準ＲＴＰタイムスタンプである、Ｃ１６に記載のシステム。
[Ｃ２０]  前記処理モジュールは、前記Ｂｌｏｃｋ−ＡＣＫシーケンスが停止した場合、前記フラグをリセットするようにさらに構成される、Ｃ１６に記載のシステム。